(57)【特許請求の範囲】
【請求項１】
ワークの厚さを測定するダイヤルゲージと、
該ダイヤルゲージを保持するダイヤルゲージ保持部材を備えた支柱と、
前記ダイヤルゲージの測定子と対向する位置に配置され、前記ワークの中心位置を支持するためのワーク中心位置支持棒と、
該ワーク中心位置支持棒を上下に伸縮可能に保持するワーク支持基台と、
該ワーク支持基台において、前記ワーク中心位置支持棒を中心とする複数の同心円の円周に形成された複数の棒保持穴と、
該棒保持穴に保持され、前記ワークの周辺部分を支持するワーク周辺位置支持棒と、
前記ダイヤルゲージ保持部材の下方において前記支柱に保持され、前記ワーク中心位置支持棒と前記ワーク周辺位置支持棒とにより支持される前記ワークの円周側面に当接し、前記ワークの中心を前記測定子の直下に位置決めするＶ型部材と、
前記Ｖ型部材の高さを調節するＶ型部材高さ調節ネジと、
前記支柱と前記Ｖ型部材高さ調節ネジの上部とを連結する連結板部材と、
前記連結板部材の前記Ｖ型部材高さ調節ネジの上部に対応する上面に配置され、前記Ｖ型部材高さ調節ネジを回すことで前記Ｖ型部材の上下位置を調節するための回転操作が行われるＶ型部材高さ調節ネジ用ハンドルと、
を有し、
前記Ｖ型部材は、前記Ｖ型部材高さ調節ネジに設けられたＶ型部材支持台を介して前記支柱に対し上下に移動可能に固定される、
ことを特徴とするレンズの厚さ測定装置。
【請求項２】
前記ダイヤルゲージ保持部材は前記支柱に対し上下に移動可能に固定される、
ことを特徴とする請求項１記載のレンズの厚さ測定装置。
【請求項３】
前記ワーク周辺位置支持棒は、下方に揺動可能なワーク支持部を有する、
ことを特徴とする請求項１又は２記載のレンズ厚さ測定装置。
【発明の詳細な説明】
【技術分野】
【０００１】
本発明は、レンズの厚さ測定装置に係わり、より詳しくは脆性材料からなる被研磨物であるレンズの球面中心を迅速に位置決めして高精度に厚さ測定を行うレンズの厚さ測定装置に関する。
【背景技術】
【０００２】
従来、レンズ、特にカメラ用のレンズは、高精度の球面が要求される。このレンズの球面研磨では、レンズの被研磨面となる球面をオス型、この球面に対応する研粒面を有する研磨部材をメス型として、レンズの球面を研磨する。
【０００３】
レンズの設計上の球面が決まれば、この球面に対応するメス型も決まるから、研磨によってレンズが設計通りの球面に仕上がったかどうかを知るには、球面の中心の厚さを測定して、中心の厚さが設計通りかを見ることによって知ることができる。
【０００４】
例えば、研磨用加工液の温度を制御して一定に保つことにより、レンズ球面の基準位置である球心位置を安定させ、これにより研磨の形状転写性が向上し、面精度が向上するという球面倣い研削研磨方法及び球面倣い研削研磨装置が提案されている。（例えば、特許文献１参照。）
【０００５】
しかしながら、特許文献１の装置は、研磨しながらレンズ球面の中心位置を安定させる、つまり一定の位置にあるように制御するというもので、装置が大掛かりであり、制御にも高度な技術を要求されるの、中小企業では使用に不向きであるという問題がある。
【０００６】
一般に、中小企業におけるレンズの研磨は、熟練工がメス型を手に持って、台上に固定されたレンズの被研磨球面を研磨する。そして、研磨の途中の適宜のところで、研磨中のレンズの中心厚さを測定する。
【０００７】
この測定には、汎用シックネスゲージを用いて手合わせで行つていた。汎用シックネスゲージは、種々あるが、望遠カメラの大口径レンズの厚さ測定には、０．０１ｍｍ単位で測定可能な手持ちタイプの例えばミツトヨ製の測定器が用いられる。（例えば、非特許文献１参照。）
【先行技術文献】
【特許文献】
【０００８】
【特許文献１】特開２００２−３５５７４４号公報
【非特許文献】
【０００９】
【非特許文献１】Ｍｉｔｕｔｏｙｏ  Ｃａｔａｌｏｇ  Ｎｏ．１３、Ｆ−７５頁、製品コードＮｏ．７３２１
【発明の概要】
【発明が解決しようとする課題】
【００１０】
ところで、カメラのレンズには高精度の球面が要求され、通常４工程の研磨工程を通して球面を仕上げるが、工程ごとに又は各工程の途中においても、レンズの中心厚さを測定して球面の仕上がり状態を監視していく必要がある。
【００１１】
この場合、前述したように、手持ちタイプの汎用シックネスゲージを一方の手に持ち、他方の手にレンズを以って、レンズの中心を探していく。レンズの中心は、凸レンズであれば最も厚い位置であり、凹レンズであれば最も薄い位置である。
【００１２】
この中心位置を探し当てたところで、汎用シックネスゲージの指針が示す厚さを読み取って、要求されている球面の中心厚さとの差を調べながら研磨工程を進めていく。差がプラスであれが研磨を進め、差がマイナスであれば、そのレンズを廃棄する。
【００１３】
被研磨物であるレンズは脆性材料からなるので、その取扱いには慎重な注意を必要とする。それに加えて、望遠カメラ用の大口径レンズになると、測定に用いる汎用シックネスゲージも重いが、レンズも重い。
【００１４】
１個のレンズを仕上げるのに、４工程の研磨工程があるのに、各工程の途中でも球面の中心厚さの測定を行わねばならないから、手が疲れれて作業が遅くなり、研磨工程全体の能率が低下するという課題がある。
【００１５】
本発明は、上記従来の課題を解決するものであって、脆性材料からなる被研磨物であるレンズの球面中心を迅速に位置決めして高精度に厚さ測定を行うレンズの厚さ測定装置を提供することを目的とする。
【課題を解決するための手段】
【００１６】
上記課題を解決するために、本発明のレンズの厚さ測定装置は、ワークの厚さを測定するダイヤルゲージと、該ダイヤルゲージを保持するダイヤルゲージ保持部材を備えた支柱と、上記ダイヤルゲージの測定子と対向する位置に配置され、上記ワークの中心位置を支持するためのワーク中心位置支持棒と、該ワーク中心位置支持棒を上下に伸縮可能に保持するワーク支持基台と、該ワーク支持基台において、上記ワーク中心位置支持棒を中心とする複数の同心円の円周に形成された複数の棒保持穴と、該棒保持穴に保持され、上記ワークの周辺部分を支持するワーク周辺位置支持棒と、上記ダイヤルゲージ保持部材の下方において上記支柱に保持され、上記ワーク中心位置支持棒と上記ワーク周辺位置支持棒とにより支持される上記ワークの円周側面に当接し、上記ワークの中心を上記測定子の直下に位置決めするＶ型部材と、上記Ｖ型部材の高さを調節するＶ型部材高さ調節ネジと、上記支柱と上記Ｖ型部材高さ調節ネジの上部とを連結する連結板部材と、上記連結板部材の上記Ｖ型部材高さ調節ネジの上部に対応する上面に配置され、上記Ｖ型部材高さ調節ネジを回すことで上記Ｖ型部材の上下位置を調節するための回転操作が行われるＶ型部材高さ調節ネジ用ハンドルと、を有し、上記Ｖ型部材は、上記Ｖ型部材高さ調節ネジに設けられたＶ型部材支持台を介して上記支柱に対し上下に移動可能に固定されるように構成される。
【発明の効果】
【００１７】
本発明は、脆性材料からなる被研磨物であるレンズの球面中心を迅速に位置決めして高精度に厚さ測定を行うレンズの厚さ測定装置を提供することができる。
【図面の簡単な説明】
【００１８】
【図１】本発明の実施例１に係るレンズの厚さ測定装置の外観構成斜視図である。
【図２】(a)は実施例１に係るレンズの厚さ測定装置の正面図、(b)はその側面図、(c)は(b)の上面図、(d)は(b)のＡ−Ａ´矢視断面図である。
【図３】(a)は実施例１に係るレンズの厚さ測定装置のワーク中心位置支持棒の拡大詳細側断面図、(b)は同じくワーク周辺位置支持棒の拡大詳細側断面図である。
【図４】実施例１に係るレンズの厚さ測定装置における測定準備手順を示すフローチャートである。
【図５】実施例１に係る測定準備手順の完了したレンズの厚さ測定装置における厚さ測定手順を示すフローチャートである。
【発明を実施するための形態】
【００１９】
以下、本発明の実施の形態について、図面を参照しながら詳細に説明する。
［実施例１］
【００２０】
図１は、本発明の実施例１に係るレンズの厚さ測定装置の外観構成を示す斜視図である。図１に示すように、レンズの厚さ測定装置（以下、本体装置ともいう）１は、本体装置基台２の後端部（図１の斜め左上方向端部）上面に支柱３を備えている。
【００２１】
更に、支柱３の横に、後述するＶ型部材の高さを調節する長い棒状のＶ型部材高さ調節ネジ４を備えている。支柱３の最上部には、支柱３とＶ型部材高さ調節ネジ４の上部とを連結する連結板部材５が設けられている。
【００２２】
連結板部材５のＶ型部材高さ調節ネジ４の上部に対応する上面には、回転円板６と、この回転円板６の円周近傍に配置された取っ手７とを有するＶ型部材高さ調節ネジ用ハンドル８が配置されている。
【００２３】
Ｖ型部材高さ調節ネジ用ハンドル８の回転円板６の下面中央には、図では陰になって見えないが、Ｖ型部材高さ調節ネジ４の上部が固定されている。取っ手７を回転円板６の円周に沿って順逆いずれかの方向に回すことにより、Ｖ型部材高さ調節ネジ４を順逆いずれかの方向に回すことができる。
【００２４】
連結板部材５よりも下方の位置となる支柱３の上方には、ダイヤルゲージ保持部材９が係合している。ダイヤルゲージ保持部材９の前方部（図の斜め右下方向の部分）には保持部９−１が細長く突き出るように形成されており、この保持部９−１に測定用ダイヤルゲージ１０が保持されている。
【００２５】
支柱３のダイヤルゲージ保持部材９より下方には、ワーク位置決め用のＶ型部材１１がＶ型の後方部で支柱３を挟み込む形状で配置されている。Ｖ型部材１１は、Ｖ型部材支持台１２に支持されている。
【００２６】
Ｖ型部材支持台１２の端部上面には、Ｖ型部材１１の側面に沿う形状で支持台高さ調節ナット１３がＶ型部材支持台１２に固定されている。支持台高さ調節ナット１３はナットメネジがＶ型部材高さ調節ネジ４に螺合しており、Ｖ型部材支持台１２にはＶ型部材高さ調節ネジ４に対応する位置に遊び孔が形成されている。
【００２７】
上記のダイヤルゲージ保持部材９の保持部９−１に保持されている測定用ダイヤルゲージ１０の下部からは、保持部９−１の図では陰になって見えない孔を貫通して測定子１０−１が下方に垂直に突出している。
【００２８】
この測定子１０−１の下方には、本体装置基台２の上面を大きく占めて短い円柱形のワーク支持基台１４が固定されている。ワーク支持基台１４の上面中央にはワーク中心位置支持棒１５が配設され、上面周囲には等間隔で３箇所にワーク周辺位置支持棒１６（１６ａ、１６ｂ、１６ｃ）が配設されている。
【００２９】
図２(a)は、上記本体装置１の正面図であり、図２(b)はその側面図、図２(c)は図２(b)の上面図、図２(d)は図２(b)のＡ−Ａ´矢視断面図である。なお、図２(a)〜(d)には、図１の構成と同一の構成部分には図１と同一の番号を付与して示している。
【００３０】
図３(a)は、上記本体装置１のワーク中心位置支持棒１５の詳細を示す拡大側断面図であり、図３(b)は、同じくワーク周辺位置支持棒１６の詳細を示す拡大側断面図である。なお、図３(a),(b)には、図１及び図２(a)〜(d)に示した構成と同一の構成部分には、図１及び図２(a)〜(d)と同一の番号を付与して示している。
【００３１】
上記図２(a)〜(d)及び図３(a),(b)を用いて、図１では説明しなかった部分について以下に説明する。先ず、図２(a),(b),(d)には、厚さ測定ワークとしてのレンズ１７を二点鎖線の仮想線で示している。
【００３２】
図２(a),(b),(d)に示すように、レンズ１７は、その中心をワーク中心位置支持棒１５の先端に支持され、その周辺部をワーク周辺位置支持棒１６（１６ａ、１６ｂ、１６ｃ）により等間隔の３点支持で支持されている。
【００３３】
レンズ１７の形状や大きさに応じて、適正な測定位置にレンズを配置できるように、ワーク中心位置支持棒１５は、上下に移動可能に構成され、図２(a),(b),(d)及び図３(a)に示すように、フランジ１５−１、レンズ支持棒１５−２、固定リング１５−３、固定ネジ１５−４を備えている。レンズ支持棒１５−２はベ一クライトで形成されている。
【００３４】
フランジ１５−１は、ワーク支持基台１４の上面中央に固定されて、中心孔にレンズ支持棒１５−２を挿通されている。レンズ支持棒１５−２には固定リング１５−３が嵌合している。固定リング１５−３の側面には、ネジ孔が形成されて、そのネジ孔に固定ネジ１５−４が取り付けられている。
【００３５】
ワーク中心位置支持棒１５は、適切な上下位置に位置決めされ、固定ネジ１５−４により締め付けられて固定リング１５−３に固定され、固定リング１５−３及びフランジ１５−１を介してワーク支持基台１４の上面中央で上下位置を位置き決めされる。
【００３６】
下面中央近傍をワーク中心位置支持棒１５に支持された状態で、レンズ１７の後方側面を、横断面がＶ字形状となっているＶ型部材１１のＶ字形内面に当接させると、レンズ１７の前後と左右が同時に位置決めされ、ワーク中心位置支持棒１５に支持されるレンズ中心位置が確定する。
【００３７】
なお、Ｖ型部材１１の上下位置は、前述したＶ型部材高さ調節ネジ用ハンドル８を順逆いずれかに回転操作することにより、支持台高さ調節ナット１３及びＶ型部材支持台１２を介して所望の位置に調節することができる。
【００３８】
レンズ中心位置が確定したことに続いて、レンズ１７の周辺形状に合わせて３本のワーク周辺位置支持棒１６が、周辺位置と上下位置とに位置決めされる。周辺位置は、レンズ１７の大きさに応じて、図２(c)に示す棒保持穴１８（１８−１、１８−２、１８−３）によって位置決めされる。
【００３９】
棒保持穴１８は、最外側穴１８−１（１８−１ａ、１８−１ｂ、１８−１ｃ）、中間部穴１８−２（１８−２ａ、１８−２ｂ、１８−２ｃ）、最内側穴１８−３（１８−３ａ、１８−３ｂ、１８−３ｃ）で構成されている。
【００４０】
最外側穴１８−１は、大きなレンズ１７に対応する棒保持穴１８であり、図１及び図２(a),(b),(d)に示すワーク周辺位置支持棒１６（１６ａ、１６ｂ、１６ｃ）は最外側穴１８−１に保持されている場合を示している。
【００４１】
また、最内側穴１８−３は、小さなレンズ１７に対応する棒保持穴１８であり、中間部穴１８−２は中間の大きさのレンズ１７に対応する棒保持穴１８である。このように、レンズ１７を３点にて支持するワーク周辺位置支持棒１６は、レンズ１７の口径に応じてその位置を３段階に変更できるようになっている。
【００４２】
これら３段階の棒保持穴１８の位置は、ワーク支持基台１４の上面において、ワーク中心位置支持棒１５を中心とする３個の同心円の円周に、それぞれ等間隔に設定される３点に形成されている。同心円の数を増やすと、レンズ１７の口径に応じて、４段階又は５段階と、棒保持穴１８の位置を、より細かく区分けすることができる。
【００４３】
また、ワーク周辺位置支持棒１６の上下位置の位置決めは、図３(b)に示す構成によって達成される。図３(b)に示すように、ワーク周辺位置支持棒１６は、固定リング１６−１、スリーブ１６−２、シヤフト１６−３、レンズ支持部１６−４、スプリング１６−５、ナット１６−６、スリーブ固定ネジ１６−７を備えている。
【００４４】
シヤフト１６−３は大径上部１６−３−１と小径下部１６−３−２からなる。レンズ支持部１６−４はベ一クライト製でシヤフト１６−３の大径上部１６−３−１の上端に連結されている。大径上部１６−３−１の下方は、スリーブ１６−２の上開口部に嵌入している。
【００４５】
大径上部１６−３−１の下面に段差を持って連続する小径下部１６−３−２は、ほとんどの部分がスリーブ１６−２の内部にあり、下端がスリーブ１６−２の下面から外部に突出してナット１６−６によりワッシャを取り付けられている。
【００４６】
小径下部１６−３−２の外周面とスリーブ１６−２の内周面との間には押し付勢力を有するスプリング１６−５が介装されている。スリーブ１６−２は、下方がワーク支持基台１４の棒保持穴１８に嵌入している。
【００４７】
スリーブ１６−２の上方は、固定リング１６−１に摺動可能に保持され、ワーク支持基台１４の面に対し上下に移動可能であり、適正とされる位置でスリーブ固定ネジ１６−７により固定リング１６−１に固定される。これにより、レンズ支持部１６−４の高さが位置決めされる。
【００４８】
高さを位置決めされたレンズ支持部１６−４、換言すればシヤフト１６−３は、上方位置をナット１６−６とワッシャにより位置決めされているが、下方にはスプリング１６−５の付勢力に抗し、適宜の弾力を持って揺動可能である。
【００４９】
上記のように構成されたワーク中心位置支持棒１５とワーク周辺位置支持棒１６とにより下方から支持され、Ｖ型部材１１により中心位置を位置決めされたレンズ１７の中心上面に対し、図２(a),(b)に示すように、測定用ダイヤルゲージ１０の測定子１０−１の先端が当接するように上下位置が調節される。
【００５０】
この上下位置の調節は、ダイヤルゲージ保持部材９の高さ調節ナット９−２を操作して測定用ダイヤルゲージ１０の測定子１０−１を上下いずれかへ微動させ、適正な当接位置で、固定用ボルト９−３を締めてダイヤルゲージ保持部材９、すなわち測定用ダイヤルゲージ１０を位置固定する。
【００５１】
上記のような構成と各部材の機能と作用を用いて、レンズ１７の厚さを迅速に測定する方法を、操作手順のフローチャートを用いて以下に説明する。
【００５２】
図４は、上記構成の本体装置１における測定準備手順（段取り）を示すフローチャートである。図４において、先ず、ワークの寸法を確認し、マスターゲージ(基準レンズ)を用意する（ステップＳ１）
【００５３】
ワークの寸法とは、レンズ１７の設計上の寸法、すなわちレンズ１７の研磨仕上がり寸法のことである。基準レンズは、レンズの寸法ごとに用意されている。ここでは、これから研磨すべきレンズの設計上の寸法に応じた基準レンズが用意される。
【００５４】
次に、基準レンズの形状に合わせてワーク中心位置支持棒１５の高さを調節し、固定ネジ１５−４により固定する（ステップＳ２）。なお、以下の説明では、基準レンズをレンズ１７であるものとして説明する。すなわち、ステップＳ２の手順は、図２(a),(b)及び図３(a)で説明した通りである。
【００５５】
続いて、基準レンズの形状(屈曲)に合わせてワーク周辺位置支持棒１６の高さを、スリーブ１６−２により調節して、スリーブ固定ネジ１６−７により上下位置を固定する（ステップＳ３）。ここでは、ステップＳ２とＳ３の間のフローチャートが省略されている。
【００５６】
すなわち、基準レンズの屈曲の形状に合わせる前に、基準レンズの大きさの形状に合わせて、棒保持穴１８の最外側穴１８−１、中間部穴１８−２、又は最内側穴１８−３のいずれかが選択され、その選択された３個の棒保持穴１８にワーク周辺位置支持棒１６が設定されている。
【００５７】
上記に続いて、Ｖ型部材高さ調節ネジ用ハンドル８を操作して、Ｖ型部材１１の高さを基準レンズに合わせて調節する（ステップＳ４）。ここでは、図２(b),(d)に示すように基準レンズ（レンズ１７）の後端部の高さに合わせてＶ型部材１１の高さが調節される。
【００５８】
次に、ワーク（ここでは、基準レンズ）の中心がワーク中心位置支持棒１５と同軸上になるように、Ｖ型部材１１を調節して固定する（ステップＳ５）。図１又は図２(a)〜(d)では説明しなかったが、Ｖ型部材１１は上下位置のみならず、前後方向にも移動可能かつ固定可能に構成されている。
【００５９】
上記に、続いて、マスターゲージ（基準レンズ）に合わせてダイヤルゲージ保持部材９の高さを調節する（ステップＳ６）。この高さの調節を、高さ調節ナット９−２を操作して行うことは、すでに説明した通りであり、高さが調節される位置は、測定子１０−１が基準レンズの中心に接する位置である。
【００６０】
次に、固定用ボルト９−３を締めてダイヤルゲージ保持部材９を固定する（ステップＳ７）。これも、すでに説明した通りである。
【００６１】
最後に、測定用ダイヤルゲージ１０の目盛の指針を「０」に合わせる（ステップＳ８）。ここで用いる測定用ダイヤルゲージ１０は、汎用シックネスゲージとは異なり、測定子が固定の基準位置に接しているとき指針が常に目盛の「０」を指す構成のものではない。
【００６２】
したがって、基準レンズの基準位置（中心）に測定子１０−１が接している状態で、目盛の指針を「０」に合わせる必要がある。これは、時計の長針の時刻合わせと同様の操作で行うことができる。以上で、測定準備手順（段取り）が完了する。
【００６３】
図５は、測定準備手順の完了した本体装置１における厚さ測定手順を示すフローチャートである。図５において、先ず、加工工程に入る（ステップＳ１１）。この加工工程は研磨工程であり、熟練工による手作業で行われる。
【００６４】
研磨工程は、設計寸法よりやや大きめの成型品のレンズをオス型とし、例えば、第１工程では、研磨面にダイヤモンド砥粒を有するメス型で荒削りを行う。第２工程では、砥粒の粗さが１００番ほどのレンズ研磨用固定砥粒ペレットのメス型を用いて荒削りを細かくする。
【００６５】
第３工程では、砥粒の粗さが２０００番ほどの研磨用樹脂のメス型を用いて仕上げ工程に入る。第４工程では酸化セリュ−ムを有するメス型を用いて仕上げ研磨を行う。上記の第１〜第４工程は、研磨工程の１例を示すものである。
【００６６】
上記いずれの工程においても、作業が中断される（ステップＳ１２）。これは、研磨の進行状態を確認するために、すなわち、レンズの中心の厚さを測定するために、レンズをレンズの厚さ測定装置１に運ぶために行われる手順である。
【００６７】
そして、測定ワークをＶ型部材に当てて測定台上に置く（ステップＳ１３）。この手順では、測定ワークすなわち研磨を中断したレンズを、その後方側面をＶ型部材１１に当接させながら、測定台すなわちワーク支持基台のワーク中心位置支持棒１５及びワーク周辺位置支持棒１６に乗せる。
【００６８】
続いて、ダイヤルゲージの目盛を指針により確認する（ステップＳ１４）。この手順では、先のステップＳ１３の手順で、測定ワークの中心が測定用ダイヤルゲージ１０の測定子１０−１の直下に位置決めされているので、直ちに測定ワークの中心厚さが測定されている。
【００６９】
したがって、ダイヤルゲージの指針がどの目盛を指しているかを直ちに確認できる。この確認手順で、確認した測定値が「０」より大なら（測定値＋寸法）、ステップＳ１１の手順に戻り、ステップＳ１１〜Ｓ１４の手順を繰り返す。
【００７０】
また、ステップＳ１４の目盛確認手順で、確認した測定値が「０」より小なら（測定値−寸法）、設計寸法よりも薄くなっているので廃棄処分にする（ステップＳ１６）。また、ステップＳ１４の目盛確認手順で、確認した測定値が「０」なら、設計寸法通りであるので加工工程完了とし（ステップＳ１５）、一連の研磨工程を終了する。
【００７１】
なお、各研磨工程では、およそ０．０１ｍｍごとに研磨を進めて中断し、レンズの中心厚さを測定するようにする。そして、第４工程の酸化セリュ−ムによる仕上げ研磨の工程で、確認した測定値が「０」になるようにする。
【００７２】
このように、本実施例によれば、レンズの下面を支持する支持棒の先端は、レンズに傷が付かないようにベ一クライト製の棒で出来ており、さらに、ワークの周辺位置を支持する支持棒では、スリーブ内にバネを内蔵して支持棒がクッション機能を有している。
【００７３】
このような機能・作用とＶ型部材の助勢により、レンズの中心を測定用ダイヤルゲージの測定子の直下に位置決めすることが容易かつ迅速にできるようになる。
【００７４】
これにより、従来、不安定かつ不確定な環境下で行つていた大口径のレンズの厚さの測定が、安定且つ高精度に測定が出来るようになり、手作業による測定で研磨工程の進行を阻害することが無くなり、レンズ製作の作業能率が大きく向上するようになる、という効果が得られる。
【００７５】
なお、上述した実施例では、実施の形態の要旨を逸脱しない範囲内において種々の変更を加えることが出来ることは言うまでもない。
【産業上の利用可能性】
【００７６】
本発明は、脆性材料からなる被研磨物であるレンズの球面中心を迅速に位置決めして高精度に厚さ測定を行うレンズの厚さ測定装置に利用することができる。
【符号の説明】
【００７７】
１  レンズの厚さ測定装置（本体装置）
２  本体装置基台
３  支柱
４  Ｖ型部材高さ調節ネジ
５  連結板部材
６  回転円板
７  取っ手
８  Ｖ型部材高さ調節ネジ用ハンドル
９  ダイヤルゲージ保持部材
９−１  保持部
９−２  高さ調節ナット
９−３  固定用ボルト
１０  測定用ダイヤルゲージ
１０−１  測定子
１１  Ｖ型部材
１２  Ｖ型部材支持台
１３  支持台高さ調節ナット
１４  ワーク支持基台
１５  ワーク中心位置支持棒
１５−１  フランジ
１５−２  レンズ支持棒
１５−３  固定リング
１５−４  固定ネジ
１６（１６ａ、１６ｂ、１６ｃ）  ワーク周辺位置支持棒
１６−１  固定リング
１６−２  スリーブ
１６−３  シヤフト
１６−４  レンズ支持部
１６−５  スプリング
１６−６  ナット
１６−７  スリーブ固定ネジ
１７  レンズ（ワーク）
１８  棒保持穴
１８−１（１８−１ａ、１８−１ｂ、１８−１ｃ）最外側穴
１８−２（１８−２ａ、１８−２ｂ、１８−２ｃ）中間部穴
１８−３（１８−３ａ、１８−３ｂ、１８−３ｃ）最内側穴
【図１】
0006527327.tif 000002
【図２】
0006527327.tif 000003
【図３】
0006527327.tif 000004
【図４】
0006527327.tif 000005
【図５】
0006527327.tif 000006